(57)【要約】【課題】コードが荷重を受けるとき、過度の応力の可能性を減少させることができるようにする。【解決手段】コード１０と、固定要素との接続を提供するために配置されたコネクタで、コード１０は、弾性的な縦伸びの能力を有し、コネクタ１２は、固定要素に固定されるように配置された第１の部分２２と、弾性的な縦伸びが可能で、かつコードの端部２０に固定するように配置された第２の伸長部分２４から構成される。本発明は、特に、サーファーのためのレッグロープ及び、レッグロープとサーフボードとの接続に関する。【選択図】図１
2008207786.tif 000002
【特許請求の範囲】
【請求項１】
コードと、被固定物間の接続を提供するコネクタであって、
前記コードは、弾性的縦方向伸長に対する能力を有し、
前記被固定物に固定されるように配置された第１の部分と、
弾性的に縦方向に伸長可能で、前記コードの端部に固定され、かつ前記端部に近いコードの端部全体を覆うように配置された第２の伸長部分とから構成されることを特徴とするコネクタ。
【請求項２】
前記コードの端部が、弾性的に伸張される時、そのコネクタの伸長部分が前記端部と共に弾性的に伸長するように、前記コネクタの第２の伸長部分が、弾性的伸長能力を有することを特徴とする請求項１記載のコネクタ。
【請求項３】
前記コネクタが、足首ストラップ、サーフボード取り付け具、或いは、サーフボード取り付け具に結ばれ又は接続されたロープに取り付けられるように配置された基部に取り付けられることを特徴とする請求項１記載のコネクタ。
【請求項４】
前記基部と前記コネクタが、前記コネクタの縦軸に関して回転できるように、スイベル接続具によって前記コネクタと前記基部とが、接続されていることを特徴とする請求項３記載のコネクタ。
【請求項５】
前記基部と、前記コネクタとが、前記コネクタの縦軸に関し、回転可能なスイベル接続具によって、前記コネクタと前記基部が接続され、前記スイベル接続具が、前記基部に形成された管状の突起内で、回転できるように、設けられたことを特徴とする請求項３記載のコネクタ。
【請求項６】
前記第２の伸長部分が、最外端部を有し、前記最外端部から離れて交互にほぼ平行なリブと溝とを有していることを特徴とする請求項１記載のコネクタ。
【請求項７】
前記リブと溝が、部分的に螺旋状、又は対角の配置を有することを特徴とする請求項６記載のコネクタ。
【請求項８】
前記第２の伸長部の最外端部に対向したフィレットを形成し、前記コードがさらに伸びるように前記コードと前記コネクタ間に長い肩部を提供することを特徴とする請求項６記載のコネクタ。
【請求項９】
前記リブと溝が部分的に螺旋状、又は対角の配置を有し、前記コネクタが取り付けられるように、平行な前記リブと溝とが、それらの間に架設する連結部を有していることを特徴とする請求項６記載のコネクタ。
【発明の詳細な説明】
【技術分野】
【０００１】
本発明は、コネクタ、特に、コードを、基部に接続するために利用されるコネクタに関する。
【背景技術】
【０００２】
本発明は、特に、サーファーが、サーフボードと物理的に離される際にサーフボードとの接続を保つように、サーファー自身と、サーフボード間を接続する目的でサーファーによって利用されるレッグロープに係る（例えば特許文献１）。コードが弾性的な縦伸びすることが、このようなレッグロープの特徴である。
【特許文献１】特開２００６−１２３６６０号公報
【発明の開示】
【発明が解決しようとする課題】
【０００３】
しかしながら、コードの端における接続具は、コードの端をサーファーの足首と、サーフボードとに確実に接続させなければならない。従来、コードが、しばしば、コネクタの端と、レッグロープのコード間の接合部分において壊れるおそれがあった。
【０００４】
本発明は、コードが荷重を受けるとき、過度の応力の可能性を減少させることができるようにすることを目的とする。
【課題を解決するための手段】
【０００５】
本発明は、コードと、被固定物間の接続を提供するコネクタであって、前記コードは、弾性的縦方向伸長に対する能力を有し、前記被固定物に固定されるように配置された第１の部分と、弾性的に縦方向に伸長可能で、前記コードの端部に固定され、かつ前記端部に近いコードの端部全体を覆うように配置された第２の伸長部分とから構成されることを特徴とするとするものである。
【発明の効果】
【０００６】
本発明によれば、コードが荷重を受けるとき、コードとコネクタ間の接続の破損や、コードとコネクタ間の接続に過度の応力の可能性を減少させることができる。
【発明を実施するための最良の形態】
【０００７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【０００８】
添付図に示される実施例は、レッグロープを足首ストラップ、及び/又は、サーフボード取り付け具に接続するために利用される取り付け具としてのコネクタに関する。添付図に示されるように、レッグロープは、コード１０と、コネクタ１２と、基部１４と、スイベルコネクタ１６とから構成される。コード１０は、弾性的に伸長可能な能力を有する。基部１４は、被固定物に配置されるものであって、この基部１４は足首ストラップに、又は、代替的に、サーフボード取り付け具、あるいは、このような取り付け具に結ばれた、又は接続されたロープに取り付けられるように配置される。スイベルコネクタ１６は、スイベルジョイント等とも称せられて引張又は圧縮荷重を受けながら圧力下でも回動可能な継手であって、一端が、スイベル１６の端の周りに成形されたコネクタ１２に取り付けられ、他端は、基部１４上に形成された管状の突起１８内で回転自在に設けられる。スイベルコネクタ１６は、コネクタ１２と、突起１８との両方内に、確実に保持されるように、図４に示されるように、凹凸状の複数のウェスト部分が設けられている。コネクタ１２は、スイベルコネクタ１６とレッグロープの末端にある端部２０（図４参照）の全体回りを覆うように、射出成形プロセスによって、ゴム、ポリウレタン、プラスチック、又は他の弾力性のある素材等の適度に弾力的な素材で形成される
コネクタ１２は、第１の部分２２と、コード１０の端部２０全体を受ける第２の伸長部分２４とから構成される。コネクタ１２の伸長部分２４は、その最外端２６において対向したフィレット２７が形成されている。このフィレット２７はコード１０の端２０側と反対方向にある伸長部分２４の最外端２６に一部分がはみ出るように設けられたものである。
【０００９】
さらに、第２の伸長部分２４には、リブ２９とスロットである切込みした溝３０が設けられる。これは第２の伸長部分２４の最外端部寄りから溝３０が長手方向に沿って長手方向における中央まで螺旋状に部分的に形成されており、この螺旋状の溝３０のために溝３０と溝３０との間にはリブ２９が同様に形成される。これにより、それぞれ平行に配置されるリブ２９と溝３０は、交互に螺旋状となって部分的に形成されている。交互に対角となって部分的に形成されてもよい。そして、溝３０をおいて設けられる隣接するリブ２９間に図１に示されるように、両端を連結した連結部３１を部品ライン状に架設する。この部品ライン状の連結部３１はそれぞれの溝３０に設けられるものであって、これらそれぞれの溝３０に設けられる連結部３１は一直線状あるいはほぼ一直線状に設けられることにより、フィレット２７、リブ２９は第２の伸長部分２４において一体に設けられると共に、スロット３０の間は伸びることができるようになり、これは、コネクタ１２を取り付けることを可能にする。
【００１０】
第２の伸長部分２４の最外端に、コード１０を中心として対向するように配置された一対のフィレット２７は、コード１０をさらに伸長させる長い肩部を、コード１０とコネクタ１２の間に提供する。
【００１１】
コネクタ１２の第２の伸長部分２４では、コネクタ１２の伸長部分２４の全長にわたってコード１０に結合されている。
【００１２】
次に前記構成についてその作用を説明する。第１の部分２２とフィレット２７間の部分的な螺旋状/対角のほぼ平行で交互のリブ２９とスロット３０を有する伸長部分２４は、コード１０が荷重を受けて伸長している時、コード１０の縦方向伸長と共にコネクタ１２の第２の伸長部分２４の弾性的な縦方向伸長を促す。これは、コード１０とコネクタ１２間の接続の破損や、コード１０とコネクタ１２間の接続に過度の応力がかかる可能性を減少させる。
【００１３】
以上のように、前記実施例では被固定物である足首ストラップ（図示せず）や、サーフボード取り付け具、或いは、サーフボード取り付け具に結ばれた、又は接続されたロープ（いずれも図示せず）に、縦方向（長手方向）に弾性伸長が可能なコード１０をコネクタ１２を介して取り付ける際に、前記コネクタ１２は被固定物に固定されるように配置された第１の部分２２と、リブ２９や溝３０等により弾性的に縦方向（長手方向）に伸長可能で、コード１０の端部２０に固定され、かつ前記端部２０に近いコード１０の端部２０全体を連結するように配置された第２の伸長部分２４とを備えることで、コード１０が荷重を受けて伸長している時に第２の伸長部分２４が弾性的な縦方向伸長を促されて対応することができる。
【００１４】
また、前記コード１０の端部２０が、弾性的に伸張される時、コネクタ１２の伸長部分が端部２０と共に弾性的に伸長するように、前記コネクタの第２の伸長部分２４が、弾性的伸長能力を有するようになっている。
【００１５】
さらに、前記コネクタ１２が、足首ストラップ、サーフボード取り付け具、或いは、サーフボード取り付け具に結ばれ又は接続されたロープに取り付けられるように配置された基部１４に取り付けられることで、サーファーが、サーフボードとの良好な接続を保つことができる。
【００１６】
また、前記基部１４と前記コネクタ１２が、前記コネクタ１２の縦軸（長手方向）に関して回転できるように、スイベル接続具１６によって前記コネクタ１２と前記基部１４とが、接続されていることで、縦方向伸長を促されると共に、コード２０の捩れにも対応することができる。
【００１７】
また、前記基部１４と、前記コネクタ１２とが、前記コネクタ１２の縦軸（長手方向）に関し、回転可能なスイベル接続具１６によって、前記コネクタ１２と前記基部１４が接続され、前記スイベル接続具１６が、前記基部１４に形成された管状の突起１８内で回転できるように、設けられたことにより、スイベル接続具１６が突起１８内で回転してコード２０の捩れに対応することができる。
【００１８】
さらに、前記第２の伸長部分２４が、最外端部２６を有し、前記最外端部２６から離れて交互にほぼ平行なリブ２９と溝３０とを有していることで、コード１０が荷重を受けて伸長している時、コード１０の縦方向伸長と共にコネクタ１２の第２の伸長部分２４の弾性的な縦方向伸長を促すことができる。
【００１９】
また、前記リブ２９と溝３０が、部分的に螺旋状の配置を有することにより、第２の伸長部分２４の弾性的な縦方向伸長を効率よく促すことができる。尚、実施例に記載の螺旋状のものに替えて対角状のものでも同様である。
【００２０】
さらに、前記コード１０がさらに伸びるように前記コード１０と前記コネクタ１２間に長い肩部を提供するために、前記第２の伸長部分２４が、その最外端部２６において対向したフィレット２７と共に形成されていることで、第２の伸長部分２４の弾性的な縦方向伸長をいっそう効率よく促すことができる。
【００２１】
しかも、前記リブ２９と溝３０が部分的に螺旋状の配置を有し、前記コネクタ１２が取り付けられるように、平行な前記リブ２９と溝３０とが、それらの間に架設する連結部３１を有していることで、リブ２９相互を連結部３１により一体的に連結して形成することができる。尚、実施例に記載の螺旋状のものに替えて対角状のものでも同様である。
【００２２】
尚、当業者に明白な修正や変形は、本発明の範囲と見なされる。
【図面の簡単な説明】
【００２３】
【図１】図１は、本発明によるコネクタの正面図である。
【図２】図２は、図１のコネクタの側面図である。
【図３】図３は、図１及び図２のコネクタの平面図である。
【図４】図４は断面図である。
【符号の説明】
【００２４】
１０   コード
１２   コネクタ
１４   基部
１６   スイベル
１８   突起
２０   端部
２２   第１の部分
２４   第２の伸長部分
２７   対向したフィレット
２９   リブ
３０   スロット
３１   連結部
【図１】
2008207786.tif 000003
【図２】
2008207786.tif 000004
【図３】
2008207786.tif 000005
【図４】
2008207786.tif 000006